(57)【要約】レーダ受信機用ビデオ増幅器は、温度補償減衰器を含む。減衰器は、分圧ネットワーク内に配置された、サーミスタのような感温素子を含み、２つのフィルタ段間にカスケード状に結合されている。フィルタ段の各々は、バンドパス特性を有し、低周波の漏れ信号を濾波し、周波数、したがって距離に基づいて感度制御を行いつつ、高周波信号の濾波も行い、エイリアシングを低減する。
2004506909.tif 000002
【特許請求の範囲】
【請求項１】
ビデオ増幅器であって、
ＲＦ信号を受信するように適応された入力端子、および出力端子を有する第１フィルタ段と、
前記第１フィルタ段の出力端子に結合された入力端子、および出力端子を有する減衰器であって、感温デバイスを含む減衰器と、
前記減衰器の出力端子に結合された入力端子、および前記ビデオ増幅器の出力信号が与えられる出力端子を有する第２フィルタ段と、
を備えたビデオ増幅器。
【請求項２】
請求項１記載のビデオ増幅器において、前記感温デバイスがサーミスタである、ビデオ増幅器。
【請求項３】
請求項１記載のビデオ増幅器において、前記第１フィルタ段および前記第２フィルタ段の各々がサレン・キー・フィルタから成る、ビデオ増幅器。
【請求項４】
請求項１記載のビデオ増幅器において、前記第１フィルタ段および前記第２フィルタ段の各々が低域通過特性を有する、ビデオ増幅器。
【請求項５】
請求項１記載のビデオ増幅器において、前記第１フィルタ段および前記第２フィルタ段の各々が帯域通過特性を有する、ビデオ増幅器。
【請求項６】
レーダ受信機であって、
ＲＦ信号を受信するように適応された入力端子、および増幅ＲＦ信号が与えられる出力端子を有するＲＦ増幅器と、
前記ＲＦ増幅器の前記出力端子に結合された入力端子、およびより低い周波数の信号が与えられる出力端子を有するダウンコンバータと、
前記ダウンコンバータの前記出力端子に結合された入力端子、および濾波信号が与えられる出力端子を有するビデオ増幅器であって、温度補償減衰器を含むビデオ増幅器と、
を備えたレーダ受信機。
【請求項７】
請求項６記載のレーダ受信機において、前記ＲＦ増幅器がＧａＡｓトランジスタを備える、レーダ受信機。
【請求項８】
請求項６記載のレーダ受信機において、前記減衰器がサーミスタを備える、レーダ受信機。
【請求項９】
請求項８記載のレーダ受信機において、前記減衰器が、更に、前記サーミスタに結合され分圧器を形成する少なくとも１つの抵抗を備える、レーダ受信機。
【請求項１０】
請求項６記載のレーダ受信機において、前記ビデオ増幅器が、更に、
前記ダウンコンバータの前記出力端子に結合された入力端子、および前記温度補償減衰器に結合された出力端子を有する第１フィルタ段と、
前記温度補償減衰器に結合された入力端子、および前記濾波信号が与えられる出力端子を有する第２フィルタ段と、
を備えたレーダ受信機。
【請求項１１】
請求項９記載のレーダ受信機において、前記第１フィルタ段および前記第２フィルタ段の各々が、帯域通過特性を有する、レーダ受信機。
【請求項１２】
請求項１１記載のレーダ受信機において、前記帯域通過特性が、漏洩信号を減衰させるように選択された低周波カットオフを有する、レーダ受信機。
【請求項１３】
請求項１１記載のレーダ受信機において、前記バンドパス特性が、前記ＲＦ受信機から所定距離よりも遠くに位置する物体によって反射された受信ＲＦ信号を減衰させるように選択した低周波カットオフを有する、レーダ受信機。
【請求項１４】
レーダ・システムであって、
第１ＲＦ信号を送信する送信アンテナと、
第２ＲＦ信号を受信する受信アンテナと、
前記受信アンテナに結合され、前記第２ＲＦ信号を処理し、温度補償ビデオ増幅器を含む受信回路と、
を備えたレーダ・システム。
【請求項１５】
請求項１４記載のレーダ・システムにおいて、前記温度補償ビデオ増幅器が、
前記第２ＲＦ信号を受信するように適応された入力端子、および出力端子を有する第１フィルタ段と、
前記第１フィルタ段の出力端子に結合された入力端子を有するとともに、出力端子を有する減衰器であって、感温デバイスを含む減衰器と、
前記減衰器の出力端子に結合された入力端子、および前記ビデオ増幅器の出力信号が与えられる出力端子を有する第２フィルタ段と、
を備えたレーダ・システム。
【請求項１６】
請求項１５記載のレーダ・システムにおいて、前記受信回路が、更に、温度によって第１所定量だけ変化する利得を有するＲＦ増幅器を含み、前記減衰器が温度によって第２所定量だけ変化する利得を与え、前記第１および第２所定量が実質上等しい、レーダ・システム。
【請求項１７】
請求項１４記載のレーダ・システムにおいて、前記第１フィルタ段および前記第２フィルタ段の各々が帯域通過特性を有する、レーダ・システム。
【請求項１８】
請求項１７記載のレーダ・システムにおいて、前記第２ＲＦ信号が前記第１ＲＦ信号の一部を含み、前記帯域通過特性が、前記第１ＲＦ信号の一部を減衰させるように選択された低周波カットオフを有する、レーダ・システム。
【請求項１９】
請求項１７記載のレーダ・システムにおいて、前記帯域通過特性が、前記レーダ・システムから所定距離よりも遠くに位置する物体によって反射した受信ＲＦ信号を減衰させるように選択された低周波カットオフを有する、レーダ受信機。
【請求項２０】
請求項１５記載のレーダ・システムにおいて、更に、
前記ビデオ増幅器の出力信号に応答して、ディジタル信号を供給するアナログ−ディジタル変換器と、
前記受信回路の温度を示す信号を供給する温度センサと、
前記温度指示信号に応答して、前記ディジタル信号を処理するために用いられる閾値を変更するディジタル信号プロセッサと、
を備えたレーダ・システム。
【発明の詳細な説明】
【０００１】
発明の分野
本発明は、一般的に、レーダ・システムに関し、更に特定すれば、温度補償を備えたビデオ増幅器を有するレーダ受信機に関する。
【０００２】
発明の背景
当技術分野では公知であるが、レーダ受信機は、レーダ・システムの視野内にある物体（目標）が反射した電磁放射を受信する回路を含む。レーダ受信機の典型的な機能には、無線周波数（ＲＦ）における信号増幅、受信信号のＲＦ周波数をより低いビデオ周波数に変換するダウンコンバジョン、信号濾波（フィルタリング）、およびディジタル信号を生成し更にディジタル信号プロセッサ（ＤＳＰ）によって処理して視野内にある物体を検出するためのアナログ−ディジタル変換器が含まれる。通例では、１つ以上のＲＦ前置増幅器、または単なる増幅器が、受信信号経路においてダウンコンバションの前（即ち、上流側）に設けられている。ダウンコンバータの下流に位置するビデオ増幅器は、追加の利得を導入し、一般に低域通過（ロー・パス）特性を有し、エイリアシング（ａｌｉａｓｉｎｇ）を低減する。エイリアシングとは、アナログ−ディジタル変換器の動作周波数が入力信号の周波数の２倍未満であるときに生ずる現象である。エイリアシングの結果、変換された信号は、入力信号の曖昧なスプリアス応答を有することになる。
【０００３】
このようなレーダ受信機には、設計上の課題がいくつかある。バイスタティック・レーダ・システム（即ち、通例では互いに近接して配置されている別個の送信アンテナおよび受信アンテナを有するレーダ・システム）の場合、送信アンテナによって放出されたＲＦ信号の一部に対応する漏れ信号が、物体を捕らえることなく受信アンテナに結合される。レーダ・システムの感度は、受信機に漏洩した送信信号の一部に伴うノイズによって制限される可能性があるので、従来このような漏れ（漏洩）信号は、エコー信号を処理する前に濾波されている。
【０００４】
レーダ受信機の設計における更に別の課題は、ＲＦ増幅器において温度によって誘発される利得変動であり、ガリウム砒素（ＧａＡｓ）増幅器の場合に特に重要となり得る。温度によって誘発される利得変化を補償する１つの方法は、温度変動電圧によってＲＦ増幅器に対するバイアスを制御し、その利得を制御することである。しかしながら、この手法は、受信機のダイナミック・レンジに悪影響を及ぼす。ＲＦ増幅器において温度誘発利得変化を補償するために用いられる別の手法は、受信機のＲＦ部においてＰＩＮダイオード減衰器を用い、ＰＩＮダイオードの利得を温度感応性デバイス（感温デバイス）で制御することである。しかしながら、ＰＩＮダイオードは比較的高価であり、望ましくない複雑性が回路に加わることになる。
【０００５】
発明の概要
本発明によれば、ビデオ増幅器が提供され、第１フィルタ段がＲＦ信号を受けるように構成された入力端子と出力端子とを有し、減衰器が第１フィルタ段の出力端子に結合された入力端子と出力端子とを有し、第２フィルタ段が減衰器の出力端子に結合された入力端子とビデオ増幅器の出力信号が得られる出力端子とを有する。減衰器は、サーミスタのような感温デバイスを含む。この構成は、ＲＦ増幅器における温度誘発利得変動を補償する、比較的簡単で安価な方法を提供する。その理由は、温度補償が低周波のビデオ増幅器において実施され、したがって比較的安価なサーミスタを簡単な分圧ネットワークに配置することによって行うことができるからである。温度誘発利得変動を補償することによって、アナログ−ディジタル変換器が動作すべきダイナミック・レンジが縮小される。
【０００６】
一実施形態では、第１および第２フィルタの各々は、高域通過（ハイ・パス）および低域通過（ロー・パス）フィルタによって得られる帯域通過（バンドパス）特性を有する。低周波信号の減衰により、バイスタティック・レーダ・システムによって発生する可能性がある漏れ信号を低減するという利点がある。更に、例示のＦＭＣＷレーダ・システムでは、増幅したレーダ・エコーが距離には実質的に依存しないように、低周波減衰を用いて、周波数および距離の関数としてレーダ受信機の感度を変化させる。
【０００７】
また、増幅ＲＦ信号を供給するＲＦ増幅器と、増幅ＲＦ信号を変換して周波数を低下させた信号を供給するダウンコンバータと、ビデオ増幅器とを含むレーダ受信機についても記載する。ビデオ増幅器は、前述のような、温度補償減衰器を含む。
【０００８】
本発明によるレーダ・システムは、第１ＲＦ信号を送信する送信アンテナと、第２ＲＦ信号を受信する受信アンテナと、第２ＲＦ信号を処理し、温度補償ビデオ増幅器を含む受信回路とを含む。一実施形態では、温度補償ビデオ増幅器は、感温デバイスを有し、前述のように、第１および第２フィルタ段間にカスケード状に結合された減衰器を含む。好ましくは、減衰器の利得は、所定の温度範囲において、受信回路に内蔵されているＲＦ増幅器の利得とほぼ同じ量だけ変動する。
【０００９】
一実施形態では、レーダ・システムは、更に、ビデオ増幅器の出力信号に応答しディジタル信号を供給するアナログ−ディジタル変換器と、受信機の温度を示す信号を発生する温度センサと、ディジタル信号プロセッサとを含む。ディジタル信号プロセッサは、温度指示信号に応答して、ディジタル信号を処理するために用いられる閾値を変化させる。この構成により、最終的な温度補償をディジタル信号プロセッサで行い、ビデオ増幅器では補償できない、ＲＦ増幅器におけるあらゆる温度誘発利得変動を排除する。
【００１０】
本発明の更に別の態様によれば、ビデオ増幅器の第１および第２フィルタ段は、ハイ・パスおよびロー・パス・フィルタによって得られるバンドパス特性を有する。この構成により、ビデオ増幅器は、その高周波信号の減衰によるエイリアシングを低減するだけでなく、その低周波信号の低減による漏れ信号の影響も低減する。更に、低周波減衰は、増幅レーダ・エコー信号が距離とは実質的に依存しないようにレーダ受信機の感度を周波数、したがって距離の関数として変化させる。
【００１１】
本発明の前述の特徴、および発明自体は、以下の図面と関連する説明から一層深く理解することができよう。
好適な実施形態の説明
図１を参照すると、レーダ・システム１０は、アンテナ部１４、送信機２２および受信機２４双方を有するマイクロ波部２０、ならびにディジタル信号プロセッサ（ＤＳＰ：ｄｉｇｉｔａｌ ｓｉｇｎａｌ ｐｒｏｃｅｓｓｏｒ）３０、電源３２、制御回路３４およびディジタル・インターフェース・ユニット３６から成る電子装置部２８を含む。本発明によれば、受信機２４は、温度補償ビデオ増幅器５８（図２）を含む。
【００１２】
レーダ・システム１０は、レーダ技術を利用して、システムの視野内において１つ以上の物体、即ち、ターゲット（目標）を検出し、種々の用途に用いることができる。図示の例では、レーダ・システム１０は、側方（横方向）物体検出（ＳＯＤ：Ｓｉｄｅ Ｏｂｊｅｃｔ Ｄｅｔｅｃｔｉｏｎ）モジュールまたはシステムのような自動車用レーダ・システム（図７）のモジュールであって、別の車両、木々、標識、歩行者等のような物体を検出する目的で、車両（輸送手段）４０上に搭載するように構成されている。当業者には明らかになるであろうが、本発明による受信機に内蔵されるビデオ増幅器は、種々の用途で用いられる多くの異なる種類のレーダ・システムのレーダ受信機において用いるのに適している。
【００１３】
図示の送信機２２は、周波数変調連続波（ＦＭＣＷ：Ｆｒｅｑｕｅｎｃｙ Ｍｏｄｕｌａｔｅｄ Ｃｏｎｔｉｎｕｏｕｓ Ｗａｖｅ）レーダとして動作し、送信されるＣＷ信号の周波数が第１所定周波数から第２所定周波数まで線形に増大する。ＦＭＣＷレーダには、高い感度、比較的低いピーク送信機電力、および高い距離分解能という利点がある。しかしながら、他の種類の送信機も使用可能であることは認められよう。
【００１４】
制御信号バス４２を通じて、制御信号が車両４０によって図１のレーダ・システム１０に供給される。一例として、制御信号は、レーダ・システム１０をディスエーブルする（動作不能にする）ためのディスエーブル信号であり、例えば、車両が静止状態にあるときに望ましい場合がある。これらの制御信号およびレーダ・システム１０が受信する反射ＲＦ信号に応答して、レーダ・システム１０は、その視野内にある物体に関連する１つ以上の出力信号を、出力信号バス４６を通じて車両に供給する。ターゲットの存在を示す出力信号に加えて、更に別の出力信号が検出ターゲットの距離を示してもよい。出力信号は、車両４０の制御部に結合すれば、盲点や近接物体の検出のように様々に使用することができる。
【００１５】
アンテナ・アセンブリ１４は、２つのアンテナ、ＲＦ信号を受信する受信アンテナ１６と、ＲＦ信号を送信する送信アンテナ１８とを含む。レーダ１０は、バイスタティック・レーダ・センサとして特徴付けることもできる。何故なら、これは互いに近接して配置された別個の送信および受信アンテナを含むからである。送信および受信アンテナが近接するために、送信ＲＦ信号の一部が、物体を捕らえずに直接受信アンテナに結合される。この直接的に結合される信号のことを漏れ（漏洩）信号と呼び、比較的低い周波数で発生するのが通例である。図示のシステムにおける漏れ信号は、約１ＫＨｚで発生することがわかっている。アンテナ１６、１８はマルチローブ状（ｍｕｌｔｉ−ｌｏｂｅｄ）であり、同じ方向に照準を定めるように並列に制御される。それぞれのアンテナ１６、１８の角度を選択するのに適した回路は様々であり、複数位置送信および受信アンテナ・スイッチが含まれる。
【００１６】
受信機の出力は、ディジタル信号プロセッサ（ＤＳＰ）３０によって処理され、レーダ・システムの視野内にある物体を検出する。これについては、以下で説明する。レーダ・システム１０の残り部分は、標準的な品目（アイテム）であり、電源３２、周波数安定化のためにシステム・クロック（クリスタル（水晶）制御発振器）を含む制御回路３４、およびディジタル・インターフェース３６を含む。
【００１７】
尚、レーダ・システム１０の部分間における個々の境界は曖昧なところもあり、固定されていないことは、当業者には認められよう。一例として、受信機２４は、電子制御回路３４の一部を含んでもよく、またＡ／Ｄ変換器（図２）のような受信機の一部は、システムの電子装置部２８に設けてもよい。種々の構成部品に選択した実施態様に応じて、レーダ・システムの１つ以上の部分を１つ以上のハイブリッド、ＡＳＩＣ、または集積回路、モジュール、あるいはサブアセンブリに統合することもできる。
【００１８】
また、図２も参照すると、受信機２４は、本発明による温度補償ビデオ増幅器５８を含む。更に、受信機２４は、受信アンテナ１６からのＲＦ信号に応答するＲＦ前置増幅器、または単に増幅器５０も含む。ＲＦ増幅器５０の出力信号は、ミキサ５４によってダウンコンバートされる。ミキサ５４は、電子制御回路３４（図１）から局部発振信号２６を受け取る。増幅器５０からのＲＦ信号および局部発振信号２６の周波数の一例は、約２４ＧＨｚであり、図示の受信機２４は、直接変換ホモダイン受信機である。しかしながら、信号周波数は、個々の用途に合うように容易に変更可能であり、他の受信機構成（トポロジー：ｔｏｐｏｌｏｇｉｅｓ）を使用してもよいことは、当業者には認められよう。
【００１９】
図２におけるミキサ５４によって得られ温度補償増幅器５８に供給されるビデオ信号は、１ＫＨｚないし４０ＫＨｚの間である。ビデオ増幅器５８は、受信ビデオ信号を増幅し濾波する。以下で説明するが、ビデオ増幅器の別の機能には、エイリアシングを低減し、漏れ信号を極力抑え、周波数に基づいて感度制御を行うことが含まれる。
【００２０】
更に、受信機２４は、１２ビット変換器のような、アナログ−ディジタル（Ａ／Ｄ）変換器を含み、ビデオ増幅器のアナログ出力をディジタル信号に変換し、更に処理されるようにする。即ち、信号サンプルは、ＤＳＰ３０内にある高速フーリエ変換（ＦＦＴ）部によって処理され、種々の周波数範囲（即ち、周波数ビン）におけるエコー信号の内容を判定する。ＦＦＴ出力は、信号プロセッサ３０の残り部分に対してデータとして作用し、信号プロセッサ３０では、１つ以上のアルゴリズムを実装して視野内にある物体を検出する。信号プロセッサ３０は、ディジタル・インターフェース３６および出力バス４６を介して、検出物体の距離および速度のような、種々の出力を車両に供給することができる。
【００２１】
ビデオ増幅器５８は、一次温度補償を行い、ＲＦ増幅器５０において温度によって誘発される利得変動の影響を低減する。このようにして、Ａ／Ｄ変換器６２が動作しなければならないダイナミック・レンジを縮小する。更に具体的には、ＲＦ増幅器、特にガリウム砒素（ＧａＡｓ）トランジスタで構成されたＲＦ増幅器では、温度によってかなりの利得変動が生ずる。典型的な例として、ＧａＡｓ増幅器では、−４０℃ないし＋８５℃の温度範囲において、８ｄＢないし９ｄＢの利得変動が生ずる虞れがある。図３のビデオ増幅器の構成図に関連付けて更に説明するが、ビデオ増幅器は、ＲＦ増幅器５０の温度特性に対してほぼ相補的な温度特性（即ち、利得対温度特性）を有するように設計されており、ＲＦ増幅器およびビデオ増幅器双方を含む受信機の熱特性が温度に対してほぼ不変となるようにしている。例えば、温度の範囲が−４０℃ないし＋８５℃のときにＲＦ増幅器５０の利得が＋８ｄＢだけ減少する場合、ビデオ増幅器は、同じ温度範囲において＋８ｄＢだけ利得が増加するように設計される。しかしながら、ＲＦ増幅器５０およびビデオ増幅器５８の熱特性は、通常、対象の範囲におけるあらゆる温度において正確に相補的という訳ではない。即ち、２本の曲線は、温度範囲の一部において１つ以上の共通点を有するが、異なる形状および／または傾きを有する場合もある。したがって、温度補償ビデオ増幅器５８を用いてもなお、ＲＦ増幅器５０の温度誘発利得変動の一部は完全に補償されない、即ち、排除されずに残る可能性がある。
【００２２】
更に、受信機２４は、図２に示す温度センサ６６を含む。温度センサ６６は、温度を示す信号を発生し、これをディジタル信号プロセッサ３０に結合して、最終的な精細温度補正を行い、ＲＦ増幅器５０の温度補償を完了するために用いられる。図示の実施形態では、温度センサ６６は、Ｎａｔｉｏｎａｌ Ｓｅｍｉｃｏｎｄｕｃｔｏｒ製のＬＭ７５であるが、他の温度センサも使用可能である。製造中に、レーダ・システム１０の特性を判定し、ビデオ増幅器５８により行われる温度補償が、ＲＦ増幅器５０の温度誘発利得変動をどの程度精度高く補償するか、正確に決定する。この特徴判定の結果、温度に対する受信機利得の一定の誤差が得られる（即ち、誤差特性）。
【００２３】
動作において、ＤＳＰ３０は、温度センサ６６が測定する実際の温度を誤差特性と比較し、測定した温度における利得誤差を判定する。次に、利得誤差を用いて、ＦＦＴが用いる閾値を調節し、ある周波数ビンにおける信号内容が、視野内にある物体の存在を示すか否かについて判定を行う。一例として、ルックアップ・テーブル（参照表）を用いると、利得誤差から調節した閾値を得ることができる。通常温度は比較的ゆっくりと変化するので、ＤＳＰ３０によって行われる温度センサの出力信号のサンプリングおよび処理は、頻繁でなくてよい。
【００２４】
以下に説明するが、ビデオ増幅器５８には、エイリアシングを低減し、漏れ信号を濾波し、レーダ・エコーの周波数に基づいて感度制御を実施するという別の利点がある。これらの利点を達成するには、ビデオ増幅器にバンドパス特性を設ける。感度周波数制御とは、レーダ受信機の感度を周波数と共に変化させ、増幅したレーダ・エコーの強度が距離に依存しないようにする技法である。この技法は、パルス・レーダにおいて用いられている感度時間制御（ＳＴＣ：ｓｅｎｓｉｔｉｖｉｔｙ ｔｉｍｅ ｃｏｎｔｒｏｌ）の従来技術と類似している。感度時間制御では、受信機の感度を時間と共に変化させ、増幅したレーダ・エコーの強度が距離に依存しないようにする。低周波ロール・オフ（ｒｏｌｌ ｏｆｆ）を個々に調整することによって、捕らえられたターゲットの距離に応じてＲＦ信号エコーに重み付けを行い、弱いエコー（ビート周波数が高く離れた物体に対応する）に、強いエコー（ビート周波数が低く接近した物体に対応する）よりも大きな重み付けを行う。更に、低周波の減衰によって、漏れ信号を濾波する。Ａ／Ｄ変換器６２のサンプリング・レートを識別して、エイリアシングを低減するように高周波カットオフ（即ち、３ｄＢ点）を選択する。これについては、以下で説明する。ビデオ増幅器が行うバンドパス濾波の結果、Ａ／Ｄ変換器６２が動作すべきダイナミック・レンジが縮小される。
【００２５】
図３を参照すると、温度補償ビデオ増幅器５８は、温度補償減衰器８０とカスケード状に結合された２つのフィルタ段７０、７４を含む。好適な実施形態では、減衰器８０を２つのフィルタ段７０、７４の間に配置する。雑音指数のような設計検討項目には注意深い対応が必要であるが、第１フィルタ段の前または第２フィルタ段の後ろに減衰器を配置することも可能である。フィルタ段７０、７４の各々は、四極バターワース・アクティブ・ロー・パス・フィルタの２つの極に結合され、ハイ・パス・フィルタリングはコンデンサＣ５およびＣ６によって行われる。フィルタ７０、７４を用いてバターワース・フィルタの応答を発生したが、ガウスまたはチェビシェフのような、他の種類のフィルタ応答を用いてもよいことは、当業者には認められよう。図示のように、各フィルタ段７０、７４は、それぞれ、演算増幅器７２、７６と、二極サレン・キー・トポロジー（ｔｗｏ ｐｏｌｅ Ｓａｌｌｅｎ Ｋｅｙ ｔｏｐｏｌｏｇｙ）の抵抗／コンデンサ・ネットワークとを備えている。ここでも、別のフィルタ構成を用いてもよいことは認められよう。図示の実施形態では、各フィルタ段７０、７４は、約１８ｄＢの利得を与え、双方ではビデオ増幅器全体に対して約４０ＫＨｚの高周波カットオフ、および約３５００Ｈｚの低周波カットオフを与え、その結果ビデオ増幅器（図６）全体に対して、低周波カットオフが約１ＫＨｚとなる。
【００２６】
分圧器の形態の減衰器８０は、抵抗８８と並列の感温サーミスタ素子８４を含み、図示のように、この並列の組み合わせが、直列抵抗９２および９６の相互接続点に結合されている。当業者には明白となろうが、感温デバイス、即ち、温度検出素子８４は、好適な実施形態におけるようなサーミスタ、抵抗性温度検出器（ＲＴＤ：ｒｅｓｉｓｔｉｖｅ ｔｅｍｐｅｒａｔｕｒｅ ｄｅｔｅｃｔｏｒ）、熱電対、ダイオード、または温度による抵抗の変動を制御し規定することができるその他のデバイスのいずれかとして設けることができる。
【００２７】
減衰器８０は、ＲＦ増幅器５０の利得対温度特性に対してほぼ相補的な利得対温度特性が得られ、受信機全体の利得対温度特性が温度に対してほぼ不変となるように、別の言い方をすれば、ＲＦ増幅器５０の温度誘発利得変動がほぼ解消するように設計されている。このために、製造中、ＲＦ増幅器５０の特徴を判定し、その利得対温度特性を決定する。図示の実施形態では、ＧａＡｓ　ＲＦ増幅器５０の利得は、−４０℃の温度から＋８５℃の温度までで約８ｄＢだけ減少する。
【００２８】
図示の減衰器８０の利得対温度特性を図４に示す。概略的に、減衰器８０は、ＲＦ増幅器の利得変動を補償するために、低温において最大の減衰を有し、温度が高くなるに連れて減衰が減少する。即ち、減衰器８０の利得は、ＲＦ増幅器５０の利得対温度特性を補償するために、−４０℃において約−９．５ｄＢ、＋２５℃において−４．５ｄＢ、そして＋８５℃において−１．５ｄＢとなっている。ＲＦ増幅器５０の利得対温度特性は、−４０℃において所望よりも＋９．５ｄＢ高く、＋２５℃において所望よりも＋４．５ｄＢ高く、＋８５℃において所望よりも＋１．５ｄＢ高い。
【００２９】
図示のサーミスタ８４は、負温度係数のＰａｎａｓｏｎｉｃ製ＥＲＴ−Ｊ０ＥＡ１０１Ｊ素子であり、抵抗値は、−４０℃において１０７４オーム、＋２５℃において１００オーム、＋８５℃において２１．２オームである。尚、同様の特性を有する他のサーミスタも適していることは認められよう。サーミスタの減衰は、ＲＦ増幅器の温度誘発利得変動を補償するために右向き（即ち、高い温度におけるよりも低い温度において減衰が大きい）であるが、サーミスタのみ（分圧器の構成に結合すると、抵抗９２および９６によって１００オームの有効抵抗が得られる）であれば、減衰は−４０℃において−１２．４ｄＢ、＋２５℃において−６ｄＢ、そして＋８５℃において−１．６７ｄＢとなる。これでは、減衰範囲が大き過ぎてしまう。その結果、並列抵抗８８を用いて、サーミスタの減衰範囲を調節し、減衰器の利得対温度特性の線形性を改善する。
【００３０】
抵抗８８の値を選択する際、繰り返しプロセスを用いて、ＲＦ増幅器の温度特性曲線を実質的に補うようにする。図示の実施形態では、抵抗８８の値は２４９オームである。この構成では、−４０℃において、サーミスタ８４および抵抗８８の等価抵抗値は、２０２オームとなり、減衰比が０．３３１、即ち、−９．６ｄＢとなる。＋２５℃では、並列のサーミスタ８２および抵抗８８によって得られる等価抵抗値は、７１．３５オームとなり、分圧ネットワークが与える減衰比は、０．５８４、即ち、−４．７ｄＢとなる。更に、＋８５℃では、並列のサーミスタ８２および抵抗８８によって得られる等価抵抗値は、１９．５オームとなり、分圧ネットワークが与える減衰比は、０．８３６、即ち、−１．６ｄＢとなる。減衰器の利得対温度熱特性を図４に示す。
【００３１】
尚、本発明の精神から逸脱することなく、減衰器８０には種々の変更が可能であることは、当業者には認められよう。例えば、正の温度係数の素子を用いて減衰器を設計してもよく、減衰エレメントのトポロジーを、図示の分圧器構成から変更しつつも、ＲＦ増幅器の利得対温度特性をほぼ補うために必要な減衰が得られるようにすることもできる。
【００３２】
抵抗９２および９６の値を選択する際、演算増幅器７２の出力をバイアスしてＶｃｃ／２即ち２．５ボルトの基準値を有するように行う。この値は、減衰器の出力ノード９４における基準値に等しい。この構成により、ＡＣ電流のみがサーミスタ８４に流れることによって、ＤＣ電流による加熱を防止する。この加熱があると、サーミスタの抵抗値が変化してしまう。演算増幅器７６にバイアスをかけ、約１．５ボルトの基準出力電圧を得る。この電圧は、図２におけるＡ／Ｄ変換器６２の電圧範囲の中点に対応する。
【００３３】
図５を参照すると、ビデオ増幅器５８全体の利得対温度特性が示されている。ビデオ増幅器の利得は、２５℃において約３０ｄＢであり、図示の温度範囲において所望の９ｄＢだけ変動する。
【００３４】
図６を参照すると、図３のビデオ増幅器５８の周波数応答が示されている。先に注記したように、バンドパス・カットオフ周波数は約３．５ＫＨｚおよび４０ＫＨｚとなる。何故なら、これらの周波数は、対象距離以内（即ち、約１ないし３０メートル）にある物体からのレーダ・エコーの周波数に対応するからである。
【００３５】
高周波カットオフの選択は、エイリアシングを低減するように行う。図示の実施形態では、Ａ／Ｄ変換器６２は、２３０ＫＨｚないし２５０ＫＨｚ程度のレートでサンプリングを行う。エイリアシングの影響を低減するには、４０ＫＨｚの高周波カットオフ点で十分である。何故なら、周波数が１１５ＫＨｚ以上の信号はかなり減衰されるので、サンプリング・レートが最高周波数のサンプル信号の周波数よりも少なくとも２倍となることが確実であるからである。
【００３６】
低周波信号の減衰は、漏れ信号を濾波し、周波数、したがって距離に基づく感度制御を実施するように作用する。図示のレーダ・システム１０において、漏れ信号の周波数は約１ＫＨｚであることがわかっている。漏れ信号の周波数を決定する要因には種々あり、ミキサの局部発振信号に対する漏れ信号の時間遅延を含むが、これに限定される訳ではない。低周波カットオフを３．５ＫＨｚとすると、このような漏れ信号が減衰する。更に、この低周波信号の減衰により、感度周波数制御が可能となる。何故なら、離れた物体からの弱いエコー信号に対応する高い周波数のエコー信号には、近い物体からの強いエコー信号に対応する低い周波数のエコー信号よりも大きな重み付けを行うからである。図示のレーダ・システム１０では、レーダ・システムから１メートル程度のところに位置する物体は、１ＫＨｚ程度のエコー周波数を発生し、このようなエコー周波数は、１０ｄＢ程度の利得低減によって減衰する。一方、レーダ・システムから１０メートルのところに位置し、断面が同一の物体は、１２ＫＨｚ程度のリターン周波数を発生する。この信号減衰によって、２つのエコー間における振幅の不一致が減少することにより、Ａ／Ｄ変換器が動作すべきダイナミック・レンジが縮小される。
【００３７】
尚、フィルタ段７０、７４において１つ以上の成分値を変化させることによって、特定のハイ・パス・カットオフおよび傾斜を変化させれば、所望の特性が得られることは、当業者には認められよう。一般に、ロール・オフ特性を選択する際、離れた物体からのエコーには、近い物体からのエコーよりも多い利得を加えることによって、漏れ信号を減衰させ、感度周波数制御を実施する。離れた物体と近い物体との間の境界は、レーダ・システムの用途に特定のパラメータとなる。
【００３８】
図７を参照すると、図１のレーダ・システムの一用途例が、自動車用近接物体検出（ＮＯＤ：ｎｅａｒ ｏｂｊｅｃｔ ｄｅｔｅｃｔｉｏｎ）システム１００の形態で示されている。ＮＯＤシステム１００は、輸送手段（車両）１２０上に配置される。車両１２０は、例えば、自動車、オートバイ、またはトラックのような自動車両、ボートまたは海底乗物のような海洋輸送手段、あるいは刈り取り機のような農業車両として設けることができる。この特定的な実施形態では、ＮＯＤシステム１００は、前方監視センサ（ＦＬＳ：ｆｏｒｗａｒｄ−ｌｏｏｋｉｎｇ ｓｅｎｓｏｒ）システム１２２、光電センサ（ＥＯＳ：ｅｌｅｃｔｒｏ ｏｐｔｉｃ ｓｅｎｓｏｒ）システム１２４、複数の側方（横方向）監視センサ（ＳＬＳ：ｓｉｄｅ−ｌｏｏｋｉｎｇ ｓｅｎｓｏｒ）システム１２８、および複数の後方監視センサ（ＲＬＳ：ｒｅａｒ−ｌｏｏｋｉｎｇ ｓｅｎｓｏｒ）システム１３０を含む。
【００３９】
ＳＬＳシステム１２８の各々は、側方（横方向）物体検出（ＳＯＤ：ｓｉｄｅ ｏｂｊｅｃｔ ｄｅｔｅｃｔｉｏｎ）システムと呼んでもよく、図１に示すレーダ・システム１０の形態を取り、図２の受信機を含むことができる。一方、受信機２４は、図３のビデオ増幅器を含む。更に、図３のレーダ・システム１０の一部または全部を用いて、ＲＬＳシステムのような別のセンサ・システムを実施してもよい。一例として、本発明のビデオ増幅器５８を、ＮＯＤシステム１００のＦＬＳ、ＥＯＳ、ＳＬＳ、およびＲＬＳセンサ・システムの１つ以上に組み込むことができる。
【００４０】
ＦＬＳ、ＥＯＳ、ＳＬＳ、およびＲＬＳシステムの各々は、センサ・プロセッサ１３４に結合されている。この特定的な実施形態では、センサ・プロセッサ１３４は、中央プロセッサとして示されており、これにＦＬＳ、ＥＯＳ、ＳＬＳ、およびＲＬＳシステムの各々がバスまたはそのほかの手段を通じて結合されている。尚、別の実施形態では、ＦＬＳ、ＥＯＳ、ＳＬＳ、およびＲＬＳシステムの１つ以上が、図１のＤＳＰ３０のような、それ自体のプロセッサを含み、以下で説明する処理を行うようにしてもよいことは認められよう。この場合、ＮＯＤシステム１００は、分散プロセッサ・システムとして設けられる。
【００４１】
ＮＯＤシステム１００が含むプロセッサが１つかまたは多数かには係わらず、センサ・システムの各々によって収集した情報は共有され、プロセッサ（または分散システムの場合は複数のプロセッサ）は判断ツリー即ち規則（ルール）ツリーを形成する。ＮＯＤシステム１００は、盲点検出、車線変更検出、車両のエア・バック作動準備を含み、これらには限定されない多数の機能のために用い、車線停留（持続）機能を実行することができる。例えば、センサ・プロセッサ１３４を車両のエアバッグ・システムに結合することができる。ＦＬＳ、ＥＯＳ、ＳＬＳ、およびＲＬＳシステムの内１つ以上からの信号に応答して、センサ・プロセッサは、車両のエアバッグを「準備」するのに適していると判断することができる。別の例も可能である。
【００４２】
ＥＯＳシステムは、光センサ即ちＩＲセンサ、あるいはセンサの方位面において比較的高い分解能を有する別のいずれかのセンサを含む。１対のＲＬＳシステムは、三角測量方式を利用して、車両の後部にある物体を検出することができる。ＦＬＳシステム１２２は、１９９９年７月２７日に発行された、「ＡＵＴＯＭＯＴＩＶＥ ＦＯＲＷＡＲＤ ＬＯＯＫＩＮＧ ＳＥＮＳＯＲ ＡＰＰＬＩＣＡＴＩＯＮ」（自動車用前方監視センサの応用）と題する米国特許第５，９２９，８０２号に記載されている。この特許は、本発明の譲受人に譲渡され、その内容はこの言及により本願にも援用されるものとする。尚、ＳＬＳおよびＲＬＳセンサの各々は、同じアンテナ・システムを有するように設けてもよいことは認められよう。
【００４３】
センサ・システムの各々は、複数のカバレッジ・ゾーンが車両周囲に存在するように、車両上に配置されている。したがって、車両は、センサ・ゾーンの繭のような網の中に包囲されている。図７に示す特定的な構成では、４つのカバレッジ・ゾーンが用いられている。カバレッジ・ゾーンの各々は、ＲＦ検出システムを利用する。ＲＦ検出システムは、カバレッジ・ゾーンの各々において多数のビームを供給する、アンテナ・システムを利用する。このようにして、別の物体が接近する個々の方向、またはその逆を発見することができる。
【００４４】
尚、ＳＬＲ、ＲＳＬ、およびＦＬＳシステムは、車両上に着脱可能に配備可能であることは認められよう。即ち、実施形態によっては、ＳＬＳ、ＲＬＳ、およびＦＬＳセンサを車両の本体外部に配置する（即ち、車両本体の露出面上に配置する）場合もあり、一方別のシステムでは、ＳＬＳ、ＲＬＳ、およびＦＬＳシステムをバンパやその他の車両の部分（例えば、ドア、パネル、クオータ・パネル、車両の前端、および車両の後端）に埋め込む場合もある。
【００４５】
以上、本発明の好適な実施形態について説明したが、これらの概念を組み込んだ別の実施形態を用いてもよいことは当業者には今や明白となったであろう。例えば、図２に示した直接変換ホモダイン受信機以外の受信機構成も、前述のビデオ増幅器の効果を享受できることは、当業者には認められよう。また、本発明のビデオ増幅器は、ＲＦ増幅器５０に加えて、またはその代わりに、回路エレメントまたはエレメントのグループの温度誘発利得変動を補償するように設計可能であることも認められよう。例えば、受信機の熱応答特性を判定し、受信機の熱特性曲線上の１つ以上の点に関して１つ以上の点が相補的である熱特性を有するように減衰器を設計することによって、受信機全体の温度誘発利得変動を補償するように、減衰器８０を設計することができる。
【００４６】
したがって、これらの実施形態は開示した実施形態に限定されるものではなく、特許請求の範囲の精神およびその範囲によってのみ限定されるべきである。この中で引用した全ての刊行物および文献は、その言及により、その全体が本願にも明白に含まれることとする。
【図面の簡単な説明】
【図１】図１は、レーダ・システムのブロック図である。
【図２】図２は、本発明によるビデオ増幅器を含む図１のレーダ・システムの受信機の一例の詳細ブロック図である。
【図３】図３は、図２のビデオ増幅器の構成図である。
【図４】図４は、図３のビデオ増幅器のサーミスタ減衰回路に対する温度対利得の関係を示す曲線である。
【図５】図５は、図３のビデオ増幅器に対する温度対中間帯域利得の関係を示す曲線である。
【図６】図６は、３点の異なる温度におけるビデオ増幅器に対する周波数対利得の関係を示す曲線である。
【図７】図７は、図１のレーダ・システムを含む自動車用近接物体検出システムのブロック図である。
【図１】
2004506909.tif 000003
【図２】
2004506909.tif 000004
【図３】
2004506909.tif 000005
【図４】
2004506909.tif 000006
【図５】
2004506909.tif 000007
【図６】
2004506909.tif 000008
【図７】
2004506909.tif 000009
【国際公開パンフレット】
2004506909.tif 000010
2004506909.tif 000011
2004506909.tif 000012
2004506909.tif 000013
2004506909.tif 000014
2004506909.tif 000015
2004506909.tif 000016
2004506909.tif 000017
2004506909.tif 000018
2004506909.tif 000019
2004506909.tif 000020
2004506909.tif 000021
2004506909.tif 000022
2004506909.tif 000023
2004506909.tif 000024
2004506909.tif 000025
2004506909.tif 000026
2004506909.tif 000027
2004506909.tif 000028
2004506909.tif 000029
2004506909.tif 000030
2004506909.tif 000031
2004506909.tif 000032
2004506909.tif 000033
2004506909.tif 000034
2004506909.tif 000035
2004506909.tif 000036
2004506909.tif 000037
2004506909.tif 000038
2004506909.tif 000039
2004506909.tif 000040
2004506909.tif 000041
2004506909.tif 000042
2004506909.tif 000043
【国際公開パンフレット（コレクトバージョン）】
2004506909.tif 000044
2004506909.tif 000045
【手続補正書】
【提出日】平成14年9月17日(2002.9.17)
【手続補正１】
【補正対象書類名】明細書
【補正対象項目名】特許請求の範囲
【補正方法】変更
【補正の内容】
【特許請求の範囲】
【請求項１】
ビデオ増幅器であって、
ビデオ信号を受信するように適応された入力端子、および出力端子を有する第１フィルタ段と、
前記第１フィルタ段の出力端子に結合された入力端子、および出力端子を有する減衰器であって、感温デバイスを含む減衰器と、
前記減衰器の出力端子に結合された入力端子、および前記ビデオ増幅器の出力信号が与えられる出力端子を有する第２フィルタ段と、
を備えたビデオ増幅器。
【請求項２】
請求項１記載のビデオ増幅器において、前記感温デバイスがサーミスタである、ビデオ増幅器。
【請求項３】
請求項１記載のビデオ増幅器において、前記第１フィルタ段および前記第２フィルタ段の各々がサレン・キー・フィルタから成る、ビデオ増幅器。
【請求項４】
請求項１記載のビデオ増幅器において、前記第１フィルタ段および前記第２フィルタ段の各々が低域通過特性を有する、ビデオ増幅器。
【請求項５】
請求項１記載のビデオ増幅器において、前記第１フィルタ段および前記第２フィルタ段の各々が帯域通過特性を有する、ビデオ増幅器。
【請求項６】
レーダ受信機であって、
ＲＦ信号を受信するように適応された入力端子、および増幅ＲＦ信号が与えられる出力端子を有するＲＦ増幅器と、
前記ＲＦ増幅器の前記出力端子に結合された入力端子、およびより低い周波数の信号が与えられる出力端子を有するダウンコンバータと、
前記ダウンコンバータの前記出力端子に結合された入力端子、および濾波信号が与えられる出力端子を有するビデオ増幅器であって、温度補償減衰器を含むビデオ増幅器と、
を備えたレーダ受信機。
【請求項７】
請求項６記載のレーダ受信機において、前記ＲＦ増幅器がＧａＡｓトランジスタを備える、レーダ受信機。
【請求項８】
請求項６記載のレーダ受信機において、前記減衰器がサーミスタを備える、レーダ受信機。
【請求項９】
請求項８記載のレーダ受信機において、前記減衰器が、更に、前記サーミスタに結合され分圧器を形成する少なくとも１つの抵抗を備える、レーダ受信機。
【請求項１０】
請求項６記載のレーダ受信機において、前記ビデオ増幅器が、更に、
前記ダウンコンバータの前記出力端子に結合された入力端子、および前記温度補償減衰器に結合された出力端子を有する第１フィルタ段と、
前記温度補償減衰器に結合された入力端子、および前記濾波信号が与えられる出力端子を有する第２フィルタ段と、
を備えたレーダ受信機。
【請求項１１】
請求項９記載のレーダ受信機において、前記第１フィルタ段および前記第２フィルタ段の各々が、帯域通過特性を有する、レーダ受信機。
【請求項１２】
請求項１１記載のレーダ受信機において、前記帯域通過特性が、漏洩信号を減衰させるように選択された低周波カットオフを有する、レーダ受信機。
【請求項１３】
請求項１１記載のレーダ受信機において、前記バンドパス特性が、前記ＲＦ受信機から所定距離よりも遠くに位置する物体によって反射された受信ＲＦ信号を減衰させるように選択した低周波カットオフを有する、レーダ受信機。
【請求項１４】
レーダ・システムであって、
第１ＲＦ信号を送信する送信アンテナと、
第２ＲＦ信号を受信する受信アンテナと、
前記受信アンテナに結合され、前記第２ＲＦ信号を処理し、温度補償減衰器を有するビデオ増幅器を含む受信回路と、
を備えたレーダ・システム。
【請求項１５】
請求項１４記載のレーダ・システムにおいて、前記温度補償ビデオ増幅器が、
前記第２ＲＦ信号を受信するように適応された入力端子、および出力端子を有する第１フィルタ段と、
前記第１フィルタ段の出力端子に結合された入力端子を有するとともに、出力端子を有する減衰器であって、感温デバイスを含む減衰器と、
前記減衰器の出力端子に結合された入力端子、および前記ビデオ増幅器の出力信号が与えられる出力端子を有する第２フィルタ段と、
を備えたレーダ・システム。
【請求項１６】
請求項１５記載のレーダ・システムにおいて、前記受信回路が、更に、温度によって第１所定量だけ変化する利得を有するＲＦ増幅器を含み、前記減衰器が温度によって第２所定量だけ変化する利得を与え、前記第１および第２所定量が実質上相補的である、レーダ・システム。
【請求項１７】
請求項１４記載のレーダ・システムにおいて、前記第１フィルタ段および前記第２フィルタ段の各々が帯域通過特性を有する、レーダ・システム。
【請求項１８】
請求項１７記載のレーダ・システムにおいて、前記第２ＲＦ信号が前記第１ＲＦ信号の一部を含み、前記帯域通過特性が、前記第１ＲＦ信号の一部を減衰させるように選択された低周波カットオフを有する、レーダ・システム。
【請求項１９】
請求項１７記載のレーダ・システムにおいて、前記帯域通過特性が、前記レーダ・システムから所定距離よりも遠くに位置する物体によって反射した受信ＲＦ信号を減衰させるように選択された低周波カットオフを有する、レーダ受信機。
【請求項２０】
請求項１５記載のレーダ・システムにおいて、更に、
前記ビデオ増幅器の出力信号に応答して、ディジタル信号を供給するアナログ−ディジタル変換器と、
前記受信回路の温度を示す信号を供給する温度センサと、
前記温度指示信号に応答して、前記ディジタル信号を処理するために用いられる閾値を変更するディジタル信号プロセッサと、
を備えたレーダ・システム。
【国際調査報告】
2004506909.tif 000046
2004506909.tif 000047
2004506909.tif 000048